(57)【特許請求の範囲】
【請求項１】
内視鏡に照明光を供給するための光源ランプを有する内視鏡用光源装置において、
前記光源ランプを収納可能な外装と、
前記外装に設けられ、前記光源ランプを交換するために開口した開口部と、
前記光源ランプを保持し、前記開口部より突没自在なランプホルダと、
前記開口部に対向した前記ランプホルダの側部に設けられ、前記光源ランプを冷却するための送風を通風可能な第１の通風口と、
前記第１の通風口を通過した前記送風を通風可能な第２の通風口と、前記第１の通風口と前記第２の通風口との位置関係が交互となる装着位置で固定するための板バネとを有し、前記開口部に着脱可能な交換扉と、
を具備したことを特徴とする内視鏡用光源装置。
【発明の詳細な説明】
【０００１】
【発明の属する技術分野】
本発明は、内視鏡のライトガイドに照明光を供給する内視鏡用光源装置に関する。
【０００２】
【従来の技術】
近年、医療用分野及び工業用分野において、内視鏡が広く用いられるようになった。この内視鏡で生体等の内部の検査部位を検査する場合には、検査部位を照明するために、内視鏡の照明光伝送手段としてのライトガイドに照明光を供給する内視鏡用光源装置が採用される。
【０００３】
内視鏡用光源装置では光源ランプ（照明ランプ）により発生する熱を放熱する必要があり、特願昭６２−７４９５４号に開示されている従来例では装置内部の光源ランプの一方の側方に送風機を配置し、他方の外装に通風板に斜め方向に開口する通風口を設けることにより、送風機で光源ランプの熱を通風口から装置外部に排出して放熱すると共に、光源ランプの光が装置外部に漏れてユーザに眩しい光となってしまうことを防止している。
【０００４】
【発明が解決しようとする課題】
上記従来例のように厚い通風板に斜め方向に通風口を設けることにより、ユーザに光源ランプの光が漏れて眩しくするのをかなり防止できるが、このように肉厚にして斜め方向に通風口を設けるために、特殊な加工が必要となり、製造コストが高騰してしまう問題があった。また、肉厚にすることにより、重量も増して重くなってしまう欠点と共に、省資源的な傾向に適さない。
【０００５】
本発明は、上述した点に鑑みてなされたもので、簡単な構造かつ低コストで光源ランプによる放熱を達成でき、かつ装置外部に光が漏れるのを防止できる内視鏡用光源装置を提供することを目的としている。
【０００６】
【課題を解決するための手段】
本発明による内視鏡用光源装置は、内視鏡に照明光を供給するための光源ランプを有する内視鏡用光源装置において、前記光源ランプを収納可能な外装と、前記外装に設けられ前記光源ランプを交換するために開口した開口部と、前記光源ランプを保持し前記開口部より突没自在なランプホルダと、前記開口部に対向した前記ランプホルダの側部に設けられ前記光源ランプを冷却するための送風を通風可能な第１の通風口と、前記第１の通風口を通過した前記送風を通風可能な第２の通風口と、前記第１の通風口と前記第２の通風口との位置関係が交互となる装着位置で固定するための板バネとを有し前記開口部に着脱可能な交換扉とを具備したものである。
【０００７】
【発明の実施の形態】
以下、図面を参照して本発明の実施の形態を説明する。
（１実施の形態）
図１ないし図５は本発明の１実施の形態に係り、図１は本実施の形態の内視鏡用光源装置の外観を示し、図２は図１の内視鏡用光源装置を分解して示し、図３はランプホルダをスライド移動した状態を示し、図４は図１のＡ−Ａ断面とＢ−Ｂ断面を示し、図５は遮蔽する構成を詳細に示す。
【０００８】
図１に示すように本発明の１実施の形態の内視鏡用光源装置１は高さが低く左右方向のサイズも小さい外装部材としての筐体２内に、図２に示すように光源ランプ３等を収納している。
【０００９】
この筐体２は底板部とこの底板部の両端を折り曲げて形成した正面板部４ａ及び裏面板部とを有する筐体本体４と、この筐体本体４の上面及び両側面を覆う形状にされた天井板５とを有し、天井板部５の例えば向かって左側の側面板部６にはランプ交換を行うための開口部７が形成され、この開口部７はネジで固定されるランプ交換扉８により閉塞される。これらは例えば金属製の板部材で形成され、耐熱性及び遮光性が良い。
【００１０】
図１及び図２に示すように筐体２の正面板部４ａの中央付近に図示しない内視鏡のライトガイドコネクタ１１が着脱自在で接続されるライトガイドコネクタ接続部１２が設けられ、またこの正面板部４ａにおけるコネクタ接続部１２の左右の位置にそれぞれ電源スイッチ１３と絞り調整摘み１４とが設けられている。
【００１１】
また、筐体内部の前後方向の中央付近には光源ランプ３が取り付けられたランプホルダ１５が向かって左側方にスライド自在で装着されるほぼコ字形状のランプハウス１６が底板部に取り付けられている。このランプハウス１６の前面の中央付近には開口が設けてあり、図２に示すようにランプホルダ１５を所定の装着位置に設定した状態では、この開口にランプホルダ１５に反射鏡１７と共に取り付けた光源ランプ３が露呈する。
【００１２】
このランプハウス１６の開口する上面は蓋板１８をネジで取り付けることにより、ランプハウス１６の上面を閉塞する。この蓋板１８はランプハウス１６の上面の開口部分を閉塞し、さらにランプハウス１６の前面より前方側にまで延出された延出部１９が形成され、光源ランプ３の点灯によりその輻射熱等で天井板５が加熱されてしまうのを遮蔽する遮蔽板の機能を持つ。
【００１３】
このため、ランプハウス１６の上面に蓋板１８を取り付けた場合、蓋板１８（の延出部１９）は天井板５には接触しないでその間の空隙を介した内側に配置され、延出部１９が加熱されても天井板５にはその熱が直ちには伝達されない。
【００１４】
また、後述するようにこの蓋板１８の延出部１９は折り曲げられて側板部２７が形成され、この側板部２７に空冷する送風手段による風を吹き付けて空冷するようにしている。また、この側板部２７に通気用開口を設けて遮光にも利用する（後述）。
なお、ランプハウス１６、ランプホルダ１５、蓋板１８は例えば金属板であり、耐熱性及び遮光性が良く、かつ熱伝達特性も良好である。
【００１５】
光源ランプ３にはランプハウス１６の後部に配置したトランス２１を介して駆動電源が供給され、点灯した光源ランプ３の照明光が反射鏡１７で反射集光され、その光源ランプ３の前方の照明光路上に配置されたコネクタ接続部１２に装着されるライトガイドコネクタ１１の端面に供給できるようにしている。
【００１６】
また、照明光路中には図示しない絞りが配置され、絞り調整摘み１４を回動操作することによって、絞りのアーム基端を回動してライトガイドコネクタ１１の端面に供給される照明光を調整できるようにしている。
本実施の形態では以下のように光源ランプ３による発熱を防止する送風による放熱手段或いは冷却手段を設けている。
ランプハウス１６における両側方に開口する一方（向かって右側）の開口に対向して光源ランプ３で発生した熱を放熱するために空気を吹き付ける放熱（或いは空冷）用の送風機としての第１のファン２３が底板部に固定され、さらにこの第１のファン２３に隣接して第２のファン２４が取り付けられている。
【００１７】
第１のファン２３はランプハウス１６の一方の側方の開口から他方の側方の開口側に向けて、つまり側方に送風して光源ランプ３で発熱した反射鏡１７の裏面側及びランプハウス１６、ランプホルダ１５、蓋板１８などを冷却する。
【００１８】
この他方の開口側にはランプホルダ１５の側板部１５ａが対向し、送風された空気はこの側板部１５ａに形成した通気口（通風口）２５を経て、さらにその外側に対向するランプ交換扉８に設けた通気口２６を経て筐体２の外部に排出される。この部分は図４（Ｂ）に示されている。
本実施の形態では図２等に示すように通気口２５、２６は水平方向に延びるスリット状開口で形成されている。
【００１９】
また、第２のファン２４はランプハウス１６の前面と正面板部４ａ内面との間を側方に送風して光源ランプ３の輻射熱等で発熱した反射鏡１７の前面及びランプハウス１６前面、蓋板１８の延出部１９などを冷却する。この第２のファン２４と対向する他方の側部側には蓋板１８の延出部１９を折り曲げて形成した側板部２７が対向し、送風された空気はこの側板部２７に形成した通気口２８を経て、その外側に対向する側面板部６に設けた通気口２９を経て筐体２の外部に排出される。この部分は図４（Ａ）に示されている。
【００２０】
なお、ランプハウス１６の前面における光源ランプ３が露呈する開口の下側には、光源ランプ３の輻射熱が底板に当たって加熱されてしまうのを防止するために、図示しない遮蔽板がランプハウス１６に取り付けるようにして設けてあり、この遮蔽板も第２のファン２４による送風により空冷される。
【００２１】
また、ランプハウス１６の前面と正面板部４ａとの間の空間にも光源ランプ３の輻射熱が正面板部４ａに当たってその正面板部４ａを加熱させてしまうのを防止する図示しない遮蔽板が配置されており、この遮蔽板も第２のファン２４による送風により空冷される。
【００２２】
この場合、この遮蔽板には正面板部４ａに設けた電源スイッチ１３に光源ランプ３の輻射熱が当たらないように遮蔽するスイッチ遮蔽板部が設けてあり、このスイッチ遮蔽板部も第２のファン２４による送風により空冷される。
なお、図２に示すように第１及び第２のファン２３、２４の外側に対向する一方の側面板部６にもスリット形状の通気口３０が設けてあり、この通気口３０を経て流入した空気が空冷に利用される。
【００２３】
本実施の形態におけるランプホルダ１５には図３に示すようにその底面に予備ランプ３１が反射鏡３２に取り付けられた状態で取り付けられている。つまり、ワイヤ状スプリング３３による弾性力反射鏡３２部分がフック３４に引っかけて取り付けられており、ワイヤ状スプリング３３の取っ手を持ち、ワイヤ状スプリング３３をフック３４から外すことにより簡単に外すことができる。
【００２４】
また、ランプホルダ１５の前面に反射鏡１７と共に取り付けられている光源ランプ３もワイヤ状スプリング３３の弾性力を利用して取り付けられており、ワイヤ状スプリング３３の取っ手を持ち、ワイヤ状スプリング３３をフック３４から外すことにより簡単に外すことができる。
【００２５】
従って、ランプ交換扉８を取り外すことにより、ランプホルダ１５をスライド移動してランプホルダ１５を開口部７の外側に出して簡単にランプ交換ができるようにしている。
【００２６】
本実施の形態では、筐体２の外表面に冷却に用いた空気を排出する通気口２６、２９を設けると共に、その内側に対向配置した側板部１５ａ、２７により光源ランプ３の光を筐体２の外部に漏れないように遮蔽する遮蔽板としても利用している。
【００２７】
この場合、例えば図１のＡ−Ａ断面、図１のＢ−Ｂ断面の図４（Ａ），（Ｂ）にそれぞれ示すように光源ランプ３の光が筐体２の外部に漏れないように筐体２の外装部材側の通気口と内部の側板部側の通気口とが交互の位置となるようにしている。
【００２８】
つまり、図４（Ａ）では蓋板１８の側板部２７の通気口２８以外の部分で光源ランプ３の光を遮光すると共に、通気口２８を通った光を筐体２を形成する天井板５の側面板部６における通気口２９に対向する部分で遮光し、筐体外部に漏れないようにしている。
【００２９】
また、図４（Ｂ）ではランプホルダ１５の側板部１５ａの通気口２５以外の部分で光源ランプ３の光を遮光すると共に、通気口２５を通った光を筐体２の外装部材としてのランプ交換扉８における通気口２６に対向する部分で遮光し、筐体外部に漏れないようにしている。
【００３０】
なお、ランプ交換扉８の内面底部側にはＵ字形状に曲げた板バネ３７が取り付けてあり、この板バネ３７でランプホルダ１５の側板部１５ａの底部側を押圧して、ランプホルダ１５がランプハウス１６の所定の装着位置から外れないようにしている。
【００３１】
図５は例えば図４（Ｂ）をより詳細に示すものである。
光源ランプ３の光は、その一部がランプホルダ１５の側板部１５ａに例えば上下方向に等間隔で設けられた各通気口２５を通って放射状に筐体２の外部部材を形成するランプ交換扉８側に向かうが、各通気口２５を通った光が進行する部分には通気口２６が設けてなくて、遮光部となるようにして、その遮光部に隣接して通気口２６を形成している（つまり、側板部１５ａで遮光された光が仮に遮光されないで当たる部分に通気口２６が設けてある）ので、光源ランプ３の光は筐体外部に漏れない。
【００３２】
本実施の形態ではこのように通気口を設けた外装部材の内側に対向して該通気口と互い違いとなる通気口を設けた遮光板を配置することにより、簡単な構成でかつ低コストで光源ランプ３の光が外部に漏れるのを確実に防止している。
【００３３】
また、図４に示すように通気口２９或いは２６を設けた（装置）外装部材とその内側に互い違いの通気口２８或いは２５を設けた遮蔽板としての側板部２７或いは１５ａとは適度の隙間（間隔）を介して対向させることにより、（光源ランプ３からの光に関して）通気口を互い違いにしたことによる冷却した空気が筐体外部に排気される妨げにならないようにしている。
この場合、通気口を形成する間隔を小さくすれば、外装部材と遮蔽板との間隔を小さくすることができる。
【００３４】
なお、本実施の形態では光源ランプ３の光はランプ交換扉８が設けられた側と反対の一方の側方側にも漏れるが、その途中にそれぞれ第１のファン２３及び第２のファン２４が配置され、各ファン２３或いは２４の枠部分で殆ど遮光される。
【００３５】
また、ファン２３或いは２４の回転する羽根部分には開口が設けてあるが、隣接する羽根が回転軸の前後でほぼ重なることと、光源ランプ３から放射状に出射された光に対してはこの開口を漏れる光は殆どなく、その外側に対向する側面板部６に通気口３０が設けてあるが、この通気口３０を経て漏れる光もない。
【００３６】
このため、本実施の形態では第１のファン２３及び第２のファン２４が光源ランプ３の光に対して遮光する遮光板の機能を持っているので、この第１のファン２３及び第２のファン２４が配置された一方の側部側には遮蔽板を配置していない。
【００３７】
これに対し、第１のファン２３及び第２のファン２４が光源ランプ３の光に対して遮光する遮光板の機能を持っていないような構造のものを採用した場合には、その外装部材の内側に上述したような遮蔽板を設ければ良い。
このように本実施の形態によれば、簡単かつ低コストで光源ランプ３による放熱を達成でき、かつ装置外部に光が漏れるのを防止できる。
なお、光源ランプ３は、ハロゲンランプの他、キセノンランプ、メタルハライドランプ等の放電灯を使用しても本発明は有効である。
【００３８】
また、通気の開口を設けた遮光性の外装部材の内側に、該外装部材と離間して配置され前記開口及びその開口に隣接する遮光部分にそれぞれ対向する部分が遮光部分及び開口となるように形成した遮蔽板（の遮光部分）には空冷手段から送風された空気が吹き付けれて空冷するようにしているので、該遮蔽板を確実に冷却できる。
【００３９】
そして、本実施の形態では２つの遮蔽板における一方はランプハウス１６の蓋体１８に設けられ、光源ランプ３による輻射熱が外装部材の天井板５に当たってそれを加熱するのを防止する遮蔽部材の機能を兼ねているので、上記空冷により外装部材の天井板５が加熱されてしまうのを有効に防止できるし、ランプハウス１６が加熱されるのを有効に防止できる。
【００４０】
また、上記２つの遮蔽板における他方はランプホルダ１５に設けてあるので、この光源ランプ３が取り付けられており加熱され易いランプホルダ１５を上記空冷により冷却できる。
【００４１】
［付記］
１．内視鏡に対し、光源ランプにより照明光を供給する内視鏡用光源装置における冷却用の通風口を装置外装に設けた内視鏡用光源装置において、
該通風口から光源ランプによる光が装置の外側に出射されないように、装置の内側で光源ランプと装置外装との間に、装置外装の通風口の開口と交互の位置に通風口を有する遮蔽板を設けたことを特徴とする内視鏡用光源装置。
【００４２】
２．付記１において、前記装置外装の通風口と前記遮蔽板の通風口はスリット形状である。
３．付記１において、前記装置外装の通風口と前記遮蔽板の通風気口は前記光源ランプの光の放射方向に合わせた位置関係に設定される。
４．付記１において、前記遮蔽板には冷却用空気を送る送風手段による空気が吹き付けられる。
【００４３】
５．筐体の内部に光源ランプを収納し、筐体の正面に設けられたコネクタ接続部に着脱自在で接続される内視鏡のライトガイドコネクタに対して前記光源ランプの照明光を供給する内視鏡用光源装置において、
前記筐体内における前記光源ランプを挟む両側部の一方に配置され、前記光源ランプを経て他方の側部に冷却用空気を送る送風手段と、
前記筐体の前記送風手段に対向する一方の側面及び他方の側面にそれぞれ設けられた通風口と、
前記他方の側面に対向して設けられ、前記光源ランプに関して前記通気口の位置と交互となるように通風口を設けた遮蔽板と、
を設けたことを特徴とする内視鏡用光源装置。
【００４４】
【発明の効果】
以上説明したように本発明によれば、光源ランプを交換するために装置外装に開口部を設け、この開口部に対向したランプホルダの側部に第１の通風口を設けると共に、交換扉に第１の通風口を通過した送風を通風可能な第２の通風口と、第１の通風口に対して第２の通風口の位置が交互の関係となる装着位置から外れないための板バネを設けて、交換扉を開口部に着脱させるようにしたので、簡単な構造で、かつ低コストで光源ランプによる放熱を達成でき、かつ装置外装に光が漏れるのを防止できる。
【図面の簡単な説明】
【図１】本発明の１実施の形態の内視鏡用光源装置の外観を示す斜視図。
【図２】図１の内視鏡用光源装置を分解して示す斜視図。
【図３】ランプホルダをスライド移動した状態を示す斜視図。
【図４】図１のＡ−Ａ断面とＢ−Ｂ断面を示す断面図。
【図５】遮蔽する構成を詳細に示す説明図。
【符号の説明】
１…内視鏡用光源装置
２…筐体
３…光源ランプ
４…筐体本体
４ａ…正面板部
５…天井板
６…側面板部
７…開口部
８…ランプ交換扉
１１…ライトガイドコネクタ
１２…ライトガイドコネクタ接続部
１３…電源スイッチ
１４…絞り調整摘み
１５…ランプホルダ
１６…ランプハウス
１７…反射鏡
１８…蓋板
１９…延出部
２１…トランス
２３…第１のファン
２４…第２のファン
２５，２６，２８，２９…通気口（通風口）
２７…側板部
３１…予備ランプ
【図１】
0003623374.tif 000002
【図２】
0003623374.tif 000003
【図３】
0003623374.tif 000004
【図４】
0003623374.tif 000005
【図５】
0003623374.tif 000006